(57)【要約】【課題】流体の注入を複数回行っても優れた湾曲性及びシール性を発揮するコネクタ用弁体並びに優れた注入性及びシール性を発揮するコネクタを提供すること。【解決手段】頭部２１と、頭部２１の下流側延長線上に配置された中実の底部２２と、頭部２１と底部２２との間に配置され、軸線Ｃ方向に作用する圧力によって一半径方向に湾曲する自己湾曲変形部２３Ａとを有するコネクタ用弁体５Ａ、並びに、管体８１を接続可能な少なくとも２つの接続口１２〜１４、接続口１２〜１４を連通する流路１５及び第１の接続口１２に隣接するように配置された弁体収納部１６を有するコネクタ管４と、弁体収納部１６に収納されたコネクタ用弁体５Ａとを備え、栓部２１が接続口１２を密閉する第１姿勢と、軸線Ｃ方向に作用する圧力で自己湾曲変形部２３Ａが一半径方向に湾曲して管体８１の内腔と流路１５とを連通させる第２姿勢とに移行可能なコネクタ１。【選択図】          図８
2013022418.tif 000002
【特許請求の範囲】
【請求項１】
管体を接続可能な少なくとも２つの接続口とこれらの接続口を連通する流路と第１の前記接続口の軸線に沿ってこの接続口に隣接するように配置された弁体収納部とを有するコネクタ管に収納され、流体の流通を制御するコネクタ用弁体であって、
前記第１の接続口を密閉する栓部を有する頭部と、
前記コネクタ用弁体の軸線方向における前記頭部の下流側延長線上に配置され、前記弁体収納部に当接支持される中実の底部と、
前記頭部と前記底部との間に前記軸線方向に沿って配置され、前記軸線方向に作用する圧力によって一半径方向に湾曲する自己湾曲変形部とを有するコネクタ用弁体。
【請求項２】
前記自己湾曲変形部は、前記コネクタ用弁体の軸線に垂直な断面形状が前記軸線に対するｎ回回転非対称性（ｎは１以外の整数）を有している請求項１に記載のコネクタ用弁体。
【請求項３】
前記自己湾曲変形部は、前記軸線方向に作用する前記圧力に対する強抵抗部及び弱抵抗部を有している請求項１又は２に記載のコネクタ用弁体。
【請求項４】
前記自己湾曲変形部は、前記コネクタ用弁体の軸線に沿って延在する内腔を有している請求項１〜３のいずれか１項に記載のコネクタ用弁体。
【請求項５】
前記自己湾曲変形部は、前記軸線方向に延在すると共に前記圧力によって湾曲する少なくとも１つの柱状体を有している請求項１〜４のいずれか１項に記載のコネクタ用弁体。
【請求項６】
前記自己湾曲変形部は、前記コネクタ用弁体の前記軸線を囲繞するように周方向に沿って配列された少なくとも１つの前記柱状体を有している請求項５に記載のコネクタ用弁体。
【請求項７】
前記自己湾曲変形部は、前記コネクタ用弁体の前記軸線を挟むように配列された複数の前記柱状体を有している請求項５に記載のコネクタ用弁体。
【請求項８】
前記ｎ回回転非対称性（ｎは１以外の整数）は、前記柱状体の配置位置、前記柱状体における前記コネクタ用弁体の前記軸線に垂直な断面形状及び前記断面形状の断面積からなる群より選択される少なくとも１つが相違することによって、成立している請求項５又は６に記載のコネクタ用弁体。
【請求項９】
前記配置位置は、隣接する前記柱状体の間隔及び前記断面形状の方向性を含む請求項８に記載のコネクタ用弁体。
【請求項１０】
前記ｎ回回転非対称性（ｎは１以外の整数）は、前記柱状体における前記コネクタ用弁体の前記軸線に垂直な断面形状及び前記断面形状の断面積からなる群より選択される少なくとも１つが相違することによって、成立している請求項７に記載のコネクタ用弁体。
【請求項１１】
前記断面積は、前記柱状体における前記断面形状の厚さ及び幅の少なくとも一方が相違することを含む請求項８〜１０のいずれか１項に記載のコネクタ用弁体。
【請求項１２】
前記自己湾曲変形部は、前記自己湾曲変形部の軸線に交差する方向に開口する少なくとも１つの貫通孔又は切欠部を有している請求項１〜１１のいずれか１項に記載のコネクタ用弁体。
【請求項１３】
前記貫通孔又は切欠部は、その少なくとも１つが前記底部近傍の外周面又は底部の外周面に開口して前記内腔と前記コネクタ用弁体の外部とを連通している請求項１２に記載のコネクタ用弁体。
【請求項１４】
前記貫通孔又は切欠部は、その少なくとも１つが前記自己湾曲変形部の前記軸線に沿って前記底部近傍まで延在している請求項１２又は１３に記載のコネクタ用弁体。
【請求項１５】
前記自己湾曲変形部は、前記コネクタ用弁体の前記軸線と異なる軸線を有する１つの前記柱状体を有している請求項５に記載のコネクタ用弁体。
【請求項１６】
前記自己湾曲変形部は、互いの湾曲方向を相殺しないように前記コネクタ用弁体の前記軸線方向に複数が直列に配置されている請求項１〜１５のいずれか１項に記載のコネクタ用弁体。
【請求項１７】
前記自己湾曲変形部は、その外径が前記底部の外径と同一である請求項１〜１６のいずれか１項に記載のコネクタ用弁体。
【請求項１８】
前記頭部は、前記栓部と、前記栓部及び前記自己湾曲変形部の間に配置され、前記栓部よりも半径方向に張り出した膨出部とを有している請求項１〜１７のいずれか１項に記載のコネクタ用弁体。
【請求項１９】
前記栓部は、前記第１の接続口に露出する頂面が平坦な表面、又は、外側に膨出する湾曲面である請求項１〜１８のいずれか１項に記載のコネクタ用弁体。
【請求項２０】
前記頭部は、その軸線方向に作用する圧力によって一半径方向に湾曲しない形状を有している請求項１〜１９のいずれか１項に記載のコネクタ用弁体。
【請求項２１】
前記形状は、周方向に延在する溝又は凹部を有していない平坦な外周面を有する形状である請求項２０に記載のコネクタ用弁体。
【請求項２２】
前記底部は、前記自己湾曲変形部に向かって徐々に先細る錐形部又は錐台形部を有している請求項１〜２１のいずれか１項に記載のコネクタ用弁体。
【請求項２３】
前記コネクタ用弁体は、弾性材料で作製されている請求項１〜２２のいずれか１項に記載のコネクタ用弁体。
【請求項２４】
前記コネクタ用弁体は、前記弁体収納部の内面と共に流体を流通させる環状の流通路を前記コネクタ用弁体の外周に形成する請求項１〜２３のいずれか１項に記載のコネクタ用弁体。
【請求項２５】
前記コネクタは、混注管である請求項１〜２４のいずれか１項に記載のコネクタ用弁体。
【請求項２６】
管体を接続可能な少なくとも２つの接続口とこれらの接続口を連通する流路と第１の前記接続口の軸線に沿ってこの接続口に隣接するように配置された弁体収納部とを有するコネクタ管と、
前記弁体収納部の支持部に当接支持された状態で前記弁体収納部に収納された、請求項１〜２５のいずれか１項に記載のコネクタ用弁体とを備え、
前記コネクタ用弁体は、前記栓部が前記第１の接続口を密閉する第１姿勢と、その軸線方向に作用する圧力で前記自己湾曲変形部が一半径方向に湾曲して前記管体の内腔と前記流路とを連通させる第２姿勢とに移行可能なコネクタ。
【請求項２７】
前記自己湾曲変形部は、前記弁体収納部に接することなく湾曲して前記第１姿勢から前記第２姿勢に移行する請求項２６に記載のコネクタ。
【発明の詳細な説明】
【技術分野】
【０００１】
この発明は、コネクタ用弁体及びコネクタに関し、さらに詳しくは、流体の注入を複数回行っても優れた湾曲性及びシール性を発揮するコネクタ用弁体並びに優れた注入性及びシール性を発揮するコネクタに関する。
【背景技術】
【０００２】
少なくとも２つの管体同士を接続するコネクタには種々のものが知られているが、例えば、医療用コネクタが挙げられる。医療用コネクタは、例えば、患者に留置されたカテーテル等を介して患者に必要な薬液、体液、栄養剤等（この発明において流体と称する。）を投与する静脈内投与又は輸血等に用いられるコネクタ、１つの管体に接続された第１の流体とは異なる種類又は濃度の第２の流体を同様にして患者に静脈内投与する場合に用いられるコネクタ、具体的には混注管等が挙げられる。
【０００３】
従来、混注管等の医療用コネクタに第２の流体を注入するのに注射針を備えた注射器等を用いていたが、医療従事者の針刺しによる感染を未然に回避するために、近年、このような注射器に代えて、注射針を備えていない注射器等の管体、例えば、ルアーロック付きシリンジ、ルアーロック付き輸液管等が医療用コネクタに接続する管体として用いられるようになっている。
【０００４】
このような注射針を備えていない管体を接続可能又は使用可能な医療用コネクタは、接続口を常時液密にシールする一方、必要時に限って接続口を開いて流体を投与可能にするために、その内部にコネクタ用弁体を備えている。
【０００５】
このような医療用コネクタとして、例えば、特許文献１には「第１の連結部材とバルブ部材と第２の連結部材とを備えた流体ライン接続用のアセンブリ」が記載されている（例えば、請求項１等）。この流体ライン接続用のアセンブリにおいて、バルブ部材は、少なくとも１つの軸線方向ボア及びこの軸線方向ボアに流体連通する少なくとも１つの径方向ボアを有し、剛体または半剛体の材料から形成されているステムと、密封面を有し、シリコーンから形成されている弾性本体とを備えている（例えば、請求項１、請求項６及び請求項７等）。この流体ライン接続用のアセンブリは「ステムが第２の連結部材に向けて移動し、それによって、弾性本体が圧縮されると共に、密封面が雌型ルアーから離れる方向に移動し、雌型ルアーと円筒形チャンバとの間が開口して流体連通が生じる」ように構成されている（例えば、請求項２等）。具体的には、特許文献１の流体ライン接続用のアセンブリは「バルブステム１４の移動によって弾性本体である弾性バルブ本体１６が軸線方向に沿って径方向ベーン６２ａ−６２ｄに対して圧縮されるように構成されている」（第３頁第３行〜同第１５行及び図６）。
【０００６】
また、特許文献２には「管体を接続する接続口と、流体通路とを有するコネクタ本体と、弁体と、前記弁体を、前記コネクタ本体に対し、該コネクタ本体の軸方向に移動可能に支持する支持部と、前記弁体を前記接続口側に向って付勢する付勢手段とを備え、前記弁体の移動により、前記接続口が開閉するよう構成されていることを特徴とするコネクタ」が記載されている（請求項５、０１４４欄〜０１６７欄、図１２〜図１４）。このコネクタにおいて弁体は付勢手段の収縮によってコネクタ本体の軸方向に移動可能に構成されている（請求項９、０１４７欄、図４等）。
【０００７】
特許文献１の「流体ライン接続用のアセンブリ」及び許文献２の「コネクタ」はいずれも構造が複雑で部品点数が多く比較的大型になってしまうことがある。これに対して、構造が容易で殺菌しやすいコネクタが特許文献３に提案されている。具体的には、特許文献３において「軸線に沿って延在するハウジングと、このハウジングに内蔵され、ハウジングの基端に配置された弁座を密閉する第１姿勢及び自身の軸線がハウジングの軸線からずれた第２姿勢に変形する弁要素とを含むコネクタ」（請求項１等）、並びに、「栓９２ｈとこの栓９２ｈ内まで伸びる軸孔１１３ｈを有するシャフト９６ｈとを有する弁体と、栓９２ｈに引っ掛かる指状部１２７ｈを有するハウジング３４ｈとを含むコネクタ」が提案されている（第９欄第１９行〜同第３４行、図１２等）。
【０００８】
このような医療用コネクタは転用等による感染症の感染を防ぐため、通常第１の流体を投与後に使い捨てにされるが、第１の流体の投与が完了するまでに１つのコネクタを介して第２の流体を複数回注入し、又は複数種の流体を注入しなければならないこともある。したがって、コネクタに内蔵されるコネクタ用弁体には、接続口を液密にシールするシール性はもちろんのこと、流体の複数回注入においても流体の注入が容易となるように毎回同様の姿勢に湾曲変形することが求められる。
【先行技術文献】
【特許文献】
【０００９】
【特許文献１】特表２０００−５０３０９６号公報
【特許文献２】特開２００１−１７０１８８号公報
【特許文献３】米国特許第５７８２８１６号
【発明の概要】
【発明が解決しようとする課題】
【００１０】
この発明は、流体の注入を複数回行っても優れた湾曲性及びシール性を発揮するコネクタ用弁体、並びに、優れた注入性及びシール性を発揮するコネクタを提供すること、を目的とする。
【課題を解決するための手段】
【００１１】
この発明の発明者らは、複数回湾曲変形させた場合にもコネクタ用弁体が毎回同様に湾曲する特性（この発明において湾曲性と称する。）と湾曲した後の反発力又は復元力によるシール性とに関して、コネクタ用弁体の形状及び構造に着目して鋭意検討したところ、コネクタ用弁体に所定の方向に湾曲する湾曲方向を持たせると、湾曲する前のシール性はもちろん湾曲性もまた湾曲後のシール性も優れることを見出した。
【００１２】
前記課題を解決するための第１の手段である、この発明に係るコネクタ用弁体は、管体を接続可能な少なくとも２つの接続口とこれらの接続口を連通する流路と第１の前記接続口の軸線に沿ってこの接続口に隣接するように配置された弁体収納部とを有するコネクタ管に収納され、流体の流通を制御するコネクタ用弁体であって、前記第１の接続口を密閉する栓部を有する頭部と、前記コネクタ用弁体の軸線方向における前記頭部の下流側延長線上に配置され、前記弁体収納部に当接支持される中実の底部と、前記頭部と前記底部との間に前記軸線方向に沿って配置され、前記軸線方向に作用する圧力によって一半径方向に湾曲する自己湾曲変形部とを有することを特徴とする。
【００１３】
このコネクタ用弁体における好適な一例は、
（１）自己湾曲変形部はコネクタ用弁体の軸線に垂直な断面形状が前記軸線に対するｎ回回転非対称性（ｎは１以外の整数）を有しており、
（２）自己湾曲変形部は前記軸線方向に作用する前記圧力に対する強抵抗部及び弱抵抗部を有しており、
（３）自己湾曲変形部は前記コネクタ用弁体の軸線に沿って延在する内腔を有しており、
（４）自己湾曲変形部は前記軸線方向に延在すると共に前記圧力によって湾曲する少なくとも１つの柱状体を有しており、
（５）自己湾曲変形部は前記コネクタ用弁体の前記軸線を囲繞するように周方向に沿って配列された少なくとも１つの前記柱状体を有しており、
（６）自己湾曲変形部は前記コネクタ用弁体の前記軸線を挟むように配列された複数の前記柱状体を有しており、
（７）自己湾曲変形部は前記コネクタ用弁体の前記軸線と異なる軸線を有する１つの前記柱状体を有しており、
（８）自己湾曲変形部は前記自己湾曲変形部の軸線に交差する方向に開口する少なくとも１つの貫通孔又は切欠部を有しており、
（９）コネクタ用弁体は、弾性材料で作製されており、
（１０）コネクタ用弁体は、前記弁体収納部の内面と共に流体を流通させる環状の流通路を前記コネクタ用弁体の外周に形成し、
（１１）コネクタは、混注管である。
【００１４】
前記課題を解決するための第２の手段である、この発明に係るコネクタは、管体を接続可能な少なくとも２つの接続口とこれらの接続口を連通する流路と第１の前記接続口の軸線に沿ってこの接続口に隣接するように配置された弁体収納部とを有するコネクタ管と、前記弁体収納部の支持部に当接支持された状態で前記弁体収納部に収納された、この発明に係るコネクタ用弁体とを備え、前記コネクタ用弁体は、前記栓部が前記第１の接続口を密閉する第１姿勢と、その軸線方向に作用する圧力で前記自己湾曲変形部が一半径方向に湾曲して前記管体の内腔と前記流路とを連通させる第２姿勢とに移行可能なことを特徴とする。
【００１５】
このコネクタにおける好適な一例は、自己湾曲変形部は前記弁体収納部に接することなく湾曲して前記第１姿勢から前記第２姿勢に移行する。
【発明の効果】
【００１６】
この発明に係るコネクタ用弁体は、コネクタ用弁体の軸線方向に作用する圧力によって一半径方向に湾曲する軸線方向に沿って配置された自己湾曲変形部を頭部と底部との間に有しているから、自己湾曲変形部の一半径方向への湾曲によって複数回の圧力が作用しても特定の方向に湾曲すると共にこの圧力が解除されると反発力又は復元力で元の状態に復帰する。したがって、この発明に係るコネクタ用弁体は流体の注入を複数回行っても優れた湾曲性及びシール性を発揮する。
【００１７】
また、この発明に係るコネクタは、コネクタ管の弁体収納部に湾曲性及びシール性に優れたこの発明に係るコネクタ用弁体を内蔵している。したがって、この発明に係るコネクタは優れた注入性及びシール性を発揮する。
【図面の簡単な説明】
【００１８】
【図１】図１は、この発明に係るコネクタ用弁体の一例を示す概略図であり、図１（ａ）はこの発明に係るコネクタ用弁体の一例を示す概略側面図であり、図１（ｂ）は図１（ａ）におけるＡ−Ａ断面を示す概略断面図である。
【図２】図２は、この発明に係るコネクタ用弁体の変形例における自己湾曲変形部の断面を示す概略断面図である。
【図３】図３は、この発明に係るコネクタ用弁体の変形例における自己湾曲変形部の断面を示す概略断面図である。
【図４】図４は、この発明に係るコネクタ用弁体の別の一例を示す概略側面図である。
【図５】図５は、この発明に係るコネクタ用弁体の一例を示す概略図であり、図５（ａ）はこの発明に係るコネクタ用弁体の一例を示す概略側面図であり、図５（ｂ）はこの発明に係るコネクタ用弁体の別の一例を示す概略側面図であり、図５（ｃ）はこの発明に係るコネクタ用弁体のまた別の一例を示す概略側面図であり、図５（ｄ）は図５（ｃ）におけるＡ−Ａ断面を示す概略断面図である。
【図６】図６は、この発明に係るコネクタ用弁体の一例を示す概略図であり、図６（ａ）はこの発明に係るコネクタ用弁体の別の一例を示す概略側面図であり、図６（ｂ）は図６（ａ）におけるＡ−Ａ断面を示す概略断面図であり、図６（ｃ）はこの発明に係るコネクタ用弁体のまた別の一例を示す概略側面図である。
【図７】図７は、この発明に係るコネクタ用弁体の一例を示す概略側面図である。
【図８】図８は、この発明に係るコネクタの一例を示す概略断面図であり、図８（ａ）はこの発明に係るコネクタの一例における密閉状態を示す概略断面図であり、図８（ｂ）はこの発明に係るコネクタの一例における開放状態を示す概略断面図である。
【発明を実施するための形態】
【００１９】
この発明に係るコネクタ用弁体は、少なくとも２つの管体同士を接続するコネクタ、例えば、患者に留置されたカテーテルに連結されたチューブ等と輸液管等とを接続する医療用コネクタ、特に、前記チューブと、注射針を備えていない注射器等の管体、例えば、ルアーロック付きシリンジ、ルアーロック付き輸液管等（この発明において針無し管体と称する。）を接続する医療用コネクタに、好適に用いられる。以下に医療用コネクタを例に挙げてこの発明を説明する。
【００２０】
この発明に係るコネクタについての詳細は後述するが、この発明に係るコネクタ用弁体の理解を容易にするため簡単に説明すると、この発明に係るコネクタの好適な一例である医療用コネクタ１は、図８（ａ）に示されるように、平面視略Ｙ字状のコネクタ管４とコネクタ管４に内蔵されるコネクタ用弁体５Ａとを備えている。このコネクタ管４は、例えば針無し管体８１を接続可能な第１の接続口１２、患者に留置されたカテーテル等に連結された、図示しない管体が接続される第２の接続口１３、及び、患者に投与する流体を収納したバッグ等に連結された、図示しない管体が接続される第３の接続口１４と、これらの接続口１２〜１４を連通させる内部空間としての流路１５と、第１の接続口１２の軸線に沿ってこの接続口１２に隣接するように配置された弁体収納部１６とを有している。このコネクタ管４においては、弁体収納部１６は流路１５の一部になっている。コネクタ用弁体５Ａは弁体収納部１６の支持部１７に当接支持された状態で弁体収納部１６に収納される。
【００２１】
この発明に係るコネクタ用弁体は、この発明に係るコネクタ、例えばコネクタ１におけるコネクタ管４に設けられた弁体収納部１６の支持部１７に当接支持された状態で弁体収納部１６に収納される。弁体収納部１６に収納されたこの発明に係るコネクタ用弁体は弁体収納部１６の内面と共に流体を流通させる環状の流通路を自身の外周に形成する。したがって、この発明に係るコネクタ用弁体は弁体収納部１６に収納可能で流通路を形成可能な形状及び寸法を有している。
【００２２】
まず、この発明に係るコネクタ用弁体の概要を簡単に説明する。この発明に係るコネクタ用弁体は、コネクタ管４の１つの接続口１２を密閉する栓部を有する頭部とコネクタ管４の弁体収納部１６に設けられた支持部１７に当接支持される中実の底部との間にこの発明に係るコネクタ用弁体の軸線方向に沿って配置された自己湾曲変形部を有している。後に詳述するように、また図８（ｂ）に示されるように、この自己湾曲変形部は、この発明に係るコネクタ用弁体の軸線方向に作用する圧力によって前記軸線方向を中心とする１つの半径方向に湾曲するように構成されている。したがって、自己湾曲変形部は流体を複数回注入する場合に前記軸線方向に複数回の圧力が作用したとしても特定の方向すなわち前記軸線に対して前記一半径方向に湾曲する。このように自己湾曲変形部が方向性を持って湾曲することによって、傾斜したこの発明に係るコネクタ用弁体と流体を注入するために接続口に圧入された略垂直な針無し管体８１の先端面８３との間を経て流体がコネクタ管４内に注入される。そして、針無し管体８１をコネクタ管４から抜脱すると、前記軸線方向に作用する圧力が解除されて、この発明に係るコネクタ用弁体は自身の反発力又は復元力で元の状態に復帰して接続口１２をシールする。この発明に係るコネクタ用弁体のこのような湾曲及び復元は針無し管体８１の挿脱が複数回であっても同様に再現性よく繰り返されてこの発明に係るコネクタ用弁体は高い湾曲性及びシール性を発揮する。なお、後述するように、この発明に係るコネクタ用弁体は自己湾曲変形部によって自ら積極的に湾曲するように構成されており、他の部材又は要素と協働することなく、例えば、弁体収納部の内面と協働することもなく、又は弁体収納部の内面に補助されることなく、また頭部形状による頭部の偏倚変形によらずに、湾曲する。
【００２３】
この発明に係るコネクタ用弁体において、自己湾曲変形部はコネクタ用弁体の軸線に垂直な断面形状が前記軸線に対するｎ回回転非対称性（ｎは１以外の整数）を有しているのが好ましい。換言すると、自己湾曲変形部はコネクタ用弁体の軸線に垂直な断面形状が前記軸線に対するｎ回回転対称性（ｎは２以上の整数）を有していない、すなわち、１回回転対称性のみを有しているのが好ましい。このように、この発明に係るコネクタ用弁体の前記断面形状は、通常自己湾曲変形部の軸線と一致するコネクタ用弁体の軸線のまわりに３６０°すなわち１回転させたときに初めてもとの回転前の断面形状と一致する。ここで、「対称性」及び「非対称性」は幾何学的に正確な対称性又は非対称性に加えて、この発明の目的を逸脱しない範囲での実質的な対称性又は非対称性をも含む。このように自己湾曲変形部がｎ回回転非対称性（ｎは１以外の整数）を有していると、自己湾曲変形部には軸線方向に作用する圧力に対する抵抗の強い強抵抗部とこの圧力に対する抵抗の弱い弱抵抗部とが存在する。そして、この発明に係るコネクタ用弁体にその軸線方向に圧力を作用させると、強抵抗部は実質的に湾曲せず又はわずかに湾曲するのに対して弱抵抗部は大きく湾曲して、この発明に係るコネクタ用弁体全体が弁体収納部１６内で弱抵抗部側に湾曲する。この発明に係るコネクタ用弁体において、ｎ回回転非対称性（ｎは１以外の整数）を有する断面形状すなわち強抵抗部及び弱抵抗部は自己湾曲変形部に存在していればよく、その軸線方向に沿って自己湾曲変形部の全体に存在していてもよく、その一部の領域に存在していてもよい。この発明において、「湾曲」とはこの発明に係るコネクタ用弁体及び／又は自己湾曲変形部が圧力の作用する軸線方向に対して１つの半径方向に弓状等に曲がることを意味し、撓み曲がることを表す撓曲、座屈、湾屈又は斜倒とも別言できる。
【００２４】
自己湾曲変形部は、コネクタ用弁体の軸線に沿って延在する内腔を有しているのが好ましく、コネクタ用弁体の軸線に沿って延在すると共に後述する少なくとも１つの柱状体で囲繞された内腔を有しているのがさらに好ましい。すなわち、自己湾曲変形部は内腔を有する中空状であるのが好ましい。自己湾曲変形部がこのような内腔を有していると、中空状の自己湾曲変形部、例えば、自己湾曲変形部となる後述する柱状体がより一層湾曲しやすくなり、特定の方向性を持って再現性よく速やかかつ容易に湾曲する。
【００２５】
このような自己湾曲変形部は、前記のように湾曲するように構成されていればよく、例えば、この発明に係るコネクタ用弁体の軸線方向に延在すると共に、針無し管体８１によって負荷されたこの軸線方向の圧力によって湾曲する少なくとも１つの柱状体を有しているのが好ましい。また、自己湾曲変形部は、（１）この発明に係るコネクタ用弁体の軸線を囲繞するように周方向に沿って配列された少なくとも１つの柱状体、（２）この発明に係るコネクタ用弁体の軸線を挟むように配列された複数の柱状体、（３）この発明に係るコネクタ用弁体の軸線と異なる軸線を有する１つの柱状体を有しているのが、より一層好ましい。
【００２６】
前記（１）における少なくとも１つ又は複数の柱状体において、その配置位置、この発明に係るコネクタ用弁体の軸線に垂直な断面形状及びこの断面形状の断面積からなる群より選択される少なくとも１つが相違することによって、自己湾曲変形部における、この発明に係るコネクタ用弁体の軸線に垂直な断面形状がこの軸線に対して回転非対称になっているのが好ましい。また前記（２）における少なくとも１つ又は複数の柱状体において、この発明に係るコネクタ用弁体の軸線に垂直な断面形状及びこの断面形状の断面積からなる群より選択される少なくとも１つが相違することによって、自己湾曲変形部における、この発明に係るコネクタ用弁体の軸線に垂直な断面形状がこの軸線に対して回転非対称になっているのが好ましい。ここで、柱状体の配置位置は隣接する柱状体の間隔、この発明に係るコネクタ用弁体の軸線からの距離及びこの発明に係るコネクタ用弁体の軸線に垂直な断面形状の方向性を含み、また柱状体の断面積は柱状体における前記断面形状の厚さ及びは幅の少なくとも一方が異なることによって相違することを含んでいる。自己湾曲変形部のｎ回回転非対称性（ｎは１以外の整数）が前記群より選択される少なくとも１つが異なる柱状体で成立していると、この発明に係るコネクタ用弁体はその構造が容易であるにもかかわらず、特定の方向性を持って再現性よく湾曲する。
【００２７】
自己湾曲変形部は、自己湾曲変形部の軸線に交差する方向に開口する少なくとも１つの貫通孔又は切欠部を有しているのが好ましく、この軸線に対して垂直な方向に開口する少なくとも１つの貫通孔又は切欠部を有しているのがさらに好ましい。自己湾曲変形部がこのような貫通孔又は切欠部を有していると、頭部と底部とを連結する柱状体で構成される自己湾曲変形部がより一層湾曲しやすくなる。この貫通孔又は切欠部は、その少なくとも１つが底部近傍の外周面又は底部の外周面に開口して内腔とこの発明に係るコネクタ用弁体の外部とを連通しているのが好ましく、また、その少なくとも１つが自己湾曲変形部の軸線に沿って底部近傍まで延在しているのが好ましい。貫通孔又は切欠部がこのように構成されていると、自己湾曲変形部が特定の方向性を持って再現性よく湾曲するうえ、自己湾曲変形部の内部も流体の流路として使用でき、この発明に係るコネクタをより一層小型軽量化できる。この発明に係るコネクタ用弁体において自己湾曲変形部が一半径方向に湾曲する限り、柱状体、内腔及び切欠部の寸法は適宜に設定できる。
【００２８】
この発明に係るコネクタ用弁体は、湾曲性及びシール性を効率よく発現できる点で、弾性材料で作製され、弾性を有しているのが好ましい。例えば、この発明に係るコネクタ用弁体は３０〜７０のＪＩＳ  Ａ硬度を発現させる弾性を有しているのが好ましい。このような硬度を発現させる弾性材料として、例えば、各種ゴム、各種エラストマー等が挙げられる。ゴムとしては、例えば、シリコーンゴム、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、フッ素ゴム等が挙げられる。エラストマーとしては、例えば、スチレン系熱可塑性エラストマー、ポリオレフィン系熱可塑性エラストマー、ポリ塩化ビニル系熱可塑性エラストマー、ポリウレタン系熱可塑性エラストマー、ポリエステル系熱可塑性エラストマー、ポリアミド系熱可塑性エラストマー、ポリブタジエン系熱可塑性エラストマー、トランスポリイソプレン系熱可塑性エラストマー、フッ素ゴム系熱可塑性エラストマー、塩素化ポリエチレン系熱可塑性エラストマー等が挙げられる。この発明に係るコネクタ用弁体はこれら弾性部材を定法によって成形又は加工することで製造できる。
【００２９】
この発明に係るコネクタ用弁体を、図面を参照して、具体的に説明する。この発明に係るコネクタ用弁体の一例であるコネクタ用弁体（以下、弁体と称することがある。）５Ａは、前記範囲のＪＩＳ  Ａ硬度を発現するように弾性材料で形成され、図１に示されるように、コネクタ管、例えば図８に示される、管体を接続可能な３つの接続口１２〜１４とこれらの接続口１２〜１４を連通する流路１５と第１の接続口１２の軸線に沿ってこの接続口１２に隣接するように配置された弁体収納部１６とを有するコネクタ管４に収納され、コネクタ管４内を流通する流体の流通を制御、換言すると、第１の接続口１２を針無し管体８１の挿脱によって開閉する。
【００３０】
この弁体５Ａは、第１の接続口１２を密閉する栓部２１として全体が機能する頭部２１と、弁体５Ａの軸線Ｃ方向における頭部２１の下流側延長線上に配置され、弁体収納部１６の支持部１７に当接支持される中実の底部２２と、頭部２１と底部２２との間に弁体５Ａの軸線Ｃ方向に沿って配置され、軸線Ｃ方向に作用する圧力によって一半径方向に湾曲する自己湾曲変形部２３ａとを有している。換言すると、弁体５Ａは、頭部２１と、頭部２１から軸線Ｃ方向に沿って連設され、軸線Ｃ方向に作用する圧力によって軸線Ｃ方向に対して一方向に湾曲する自己湾曲変形部２３ａを有する胴部２４ａと、胴部２４ａに連設され、弁体収納部１６内で支持される中実の底部２２とを有している。
【００３１】
頭部２１は、コネクタ管４の第１の接続口１２を液密にシールできる形状及び寸法を有していればよく、自身の軸線方向に作用する圧力によって、この軸線方向に圧縮されても軸線方向に対して半径方向に湾曲しない形状になっている。具体的には、頭部２１は、周方向に延在する溝又は凹部（ｎｏｔｃｈとも称する。）を有していない平坦な外周面を有する外径が一定の中実の円筒状になっている。頭部２１がこのような形状を有していると、弁体５Ａの軸線Ｃ方向に作用する針無し管体８１による圧力を自己湾曲変形部２３ａにロスなく伝達することができ、自己湾曲変形部２３ａの特定の方向への湾曲がより一層速やかかつ容易になる。この頭部２１は、図１及び図８に示されるように、第１の接続口１２に露出する表面すなわちその頂面２１ａは流体を案内する溝又はスリット等の形成されていない平坦面になっている。このように頭部２１の頂面２１ａが平坦面になっていると、第１の接続口１２及び頂面２１ａを清掃しやすく、バクテリア等の繁殖を抑制できる。弁体５Ａにおいて、頂面２１ａは弁体５Ａの軸線Ｃに対して水平になっているが、この軸線Ｃに対して傾斜していてもよい。
【００３２】
底部２２は、弁体収納部１６の支持部１７に当接支持される形状及び寸法を有していればよく、端部に向かって外径が徐々に縮小する尖形、半球面形、半楕円球面形、ドーム状になっている。底部２２の自己湾曲変形部２３ａ側に面する頂面は軸線Ｃに対して垂直になっている。この底部２２は弁体５Ａを支持して自己湾曲変形部２３ａの湾曲を補助するため、ある程度の剛性を有しているのが好ましく、この弁体５Ａにおいては中実になっている。
【００３３】
自己湾曲変形部２３ａは、図１（ａ）及び図１（ｂ）に示されるように、頭部２１と底部２２との間に配置され、頭部２１と底部２２とをそれらの軸線が実質的に一致するように連結している。したがって自己湾曲変形部２３ａはその全体が胴部２４ａとして機能する。そして、この自己湾曲変形部２３ａは、図１（ｂ）に明確に示されるように、軸線Ｃ方向に延在すると共に軸線Ｃを囲繞するように周方向に沿って等間隔に配列された２本の第１の柱状体３１ａ及び１本の第２の柱状体３２ａと、軸線Ｃに沿って延在すると共に第１の柱状体３１ａ及び第２の柱状体３２ａで囲繞される内腔２６ａと、第１の柱状体３１ａ及び第２の柱状体３２ａの間に形成され、自己湾曲変形部２３ａの軸線に交差する方向に開口する３つの切欠部４０ａとで構成され、弁体５Ａの軸線Ｃに垂直な断面形状が軸線Ｃに対するｎ回回転非対称性（ｎは１以外の整数）を有している。
【００３４】
第１の柱状体３１ａ及び第２の柱状体３２ａは、図１（ａ）に示されるように、軸線Ｃ方向の全体にわたって一定の厚さを有し、軸線Ｃに垂直な断面形状が２つの同心円の円弧とこれらの中心を結ぶ線分とで囲まれた中心角が約６０°の部分環状壁であって軸線Ｃ方向に作用する圧力によって湾曲する。部分環状壁は大きな半径の円弧を有する扇形から小さな半径の円弧を有する扇形を除去した形状になっている。第１の柱状体３１ａは同心円の半径の差分すなわち厚さが第２の柱状体３２ａのそれよりも大きくなっている。すなわち、自己湾曲変形部２３ａは第１の柱状体３１ａ及び第２の柱状体３２ａの断面形状及び断面積が異なることによって、その軸線方向全体にわたって、ｎ回回転非対称性（ｎは１以外の整数）すなわち１回回転対称性のみを有しており、ｎ回回転対称性（ｎは２以上の整数）を有していない。これら第１の柱状体３１ａ及び第２の柱状体３２ａは、その外面がいずれも底部２２の外周面と面一になるように、すなわち第１の柱状体３１ａ及び第２の柱状体３２ａの前記断面形状に外接する仮想外接円の外径すなわち自己湾曲変形部２３ａの直径と底部２２及び頭部２１の直径が同一になるように、底部２２に立設配置されている。
【００３５】
切欠部４０ａは、軸線Ｃの垂直方向に開口しており、換言すると、自己湾曲変形部２３ａの軸線Ｃに垂直な断面形状において柱状体３１ａ及び３２ａに外接する仮想外接円の仮想円周に開口している。切欠部４０ａは弁体５Ａの軸線Ｃと一致する自己湾曲変形部２３ａの軸線に沿って底部２２まで延在すなわち欠損しており、内腔２６ａは環状に配置された第１の柱状体３１ａ及び第２の柱状体３２ａ並びに３つの切欠部４０ａの内部に位置している。この内腔２６ａは第１の柱状体３１ａ及び第２の柱状体３２ａと交互に配置された切欠部４０ａによって弁体５Ａの外側とを連通している。したがって、内腔２６ａは開放内腔とも称することができ、この内腔２６ａ及び切欠部４０ａは自己湾曲変形部２３ａの湾曲を補助すると共に、内腔２６ａは流体の流路として、切欠部４０ａは流路の出入口としても機能する。
【００３６】
自己湾曲変形部２３ａは、第１の柱状体３１ａ及び第２の柱状体３２ａと内腔２６ａと切欠部４０ａとで構成され、換言すると、軸線Ｃを中心にして周方向に沿って又は軸線Ｃを挟むように底部２２の頂面に立設された厚さの異なる第１の柱状体３１ａ及び第２の柱状体３２ａで構成され、頭部２１を支持している。このように構成された自己湾曲変形部２３ａは、第１の柱状体３１ａ及び第２の柱状体３２ａが周方向に等間隔に配置されているものの、第１の柱状体３１ａと第２の柱状体３２ａとはその厚さすなわち断面積が異なっているから、第１の柱状体３１ａが配列された領域が軸線Ｃ方向に作用する圧力に対する抵抗の強い強抵抗部２５ａとなり、第２の柱状体３２ａ近傍がこの圧力に対する抵抗の弱い弱抵抗部２５ｂとなる、ｎ回回転非対称性（ｎは１以外の整数）の断面形状を有している。そして、自己湾曲変形部２３ａは内腔２６ａ及び切欠部４０ａを有し、頭部２１は中実の円筒状になっている。したがって、このような頭部２１及び自己湾曲変形部２３ａを有する弁体５Ａにその軸線Ｃ方向の圧力が作用すると、この圧力がロスなく直接的に自己湾曲変形部２３ａに作用し、ｎ回回転非対称性（ｎは１以外の整数）の自己湾曲変形部２３ａは、例えば図８（ｂ）に示されるように、強抵抗部２５ａがわずかに湾曲するのに対して弱抵抗部２５ｂが大きく湾曲することによって、一半径方向すなわち弱抵抗部２５ｂ側、具体的には軸線Ｃから第２の柱状体３２ａに向かう半径方向に湾曲する。このようにして弁体５Ａも全体的に同様に湾曲する。
【００３７】
この発明に係るコネクタ用弁体の別の一例である弁体５Ｂは、図２（ａ）に示されるように、自己湾曲変形部２３ｂが異なること以外は弁体５Ａと基本的に同様である。すなわち、この弁体５Ｂは、図示しない頭部２１と自己湾曲変形部２３ｂと図示しない底部２２と有している。弁体５Ａと同様の構成についての説明は省略し、図２（ａ）中同じ符号を付与する。
【００３８】
自己湾曲変形部２３ｂは、図２（ａ）に示されるように、柱状体及び切欠部が異なること以外は自己湾曲変形部２３ａと基本的に同様であって、第１の柱状体３１ｂ及び第２の柱状体３２ｂと、これらの柱状体３１ｂ及び３２ｂで囲繞される内腔２６ａと、２つの柱状体３１ｂ及び３２ｂの間に形成された２つの切欠部４０ｂとで構成され、断面形状が軸線Ｃに対するｎ回回転非対称性（ｎは１以外の整数）を有している。第１の柱状体３１ｂ及び第２の柱状体３２ｂは部分環状壁の中心角が約１２０°であること以外は第１の柱状体３１ａ及び第２の柱状体３２ａと基本的に同様であって第１の柱状体３１ｂは厚さが第２の柱状体３２ｂのそれよりも大きくなっている。切欠部４０ｂはその開口幅が異なること以外は切欠部４０ａと基本的に同様である。
【００３９】
自己湾曲変形部２３ｂは厚さの厚い第１の柱状体３１ｂ近傍が強抵抗部２５ａとなり、厚さの薄い第２の柱状体３２ｂ近傍が弱抵抗部２５ｂとなるｎ回回転非対称性（ｎは１以外の整数）の断面形状になっている。そして、自己湾曲変形部２３ｂは内腔２６ａ及び切欠部４０ｂを有し、頭部２１は中実の円筒状になっている。したがって、弁体５Ｂにその軸線Ｃ方向の圧力が作用すると、弁体５Ａ及び自己湾曲変形部２３ａと基本的に同様に一半径方向すなわち弱抵抗部２５ｂ側に湾曲する。
【００４０】
この発明に係るコネクタ用弁体のまた別の一例である弁体５Ｃは、図２（ｂ）に示されるように、自己湾曲変形部２３ｃが異なること以外は弁体５Ａと基本的に同様である。すなわち、この弁体５Ｃは、図示しない頭部２１と自己湾曲変形部２３ｃと図示しない底部２２と有している。弁体５Ａと同様の構成についての説明は省略し、図２（ｂ）中同じ符号を付与する。
【００４１】
自己湾曲変形部２３ｃは、図２（ｂ）に示されるように、柱状体及び切欠部が異なること以外は自己湾曲変形部２３ａと基本的に同様であって、３つの第１の柱状体３１ｃ及び１つの第２の柱状体３２ｃと、これらの柱状体３１ｃ及び３２ｃで囲繞される内腔２６ａと、４つの柱状体３１ｃ及び３２ｃの間に形成された４つの切欠部４０ｃとで構成され、その軸線方向全体にわたって、断面形状が軸線Ｃに対するｎ回回転非対称性（ｎは１以外の整数）を有している。第１の柱状体３１ｃ及び第２の柱状体３２ｃは部分環状壁の中心角が約４５°であること以外は第１の柱状体３１ａ及び第２の柱状体３２ａと基本的に同様であって第１の柱状体３１ｃは厚さが第２の柱状体３２ｃのそれよりも大きくなっている。切欠部４０ｃはその開口幅が異なること以外は切欠部４０ａと基本的に同様である。
【００４２】
自己湾曲変形部２３ｃは厚さの厚い第１の柱状体３１ｃが配列された領域が強抵抗部２５ａとなり、厚さの薄い第２の柱状体３２ｃ近傍が弱抵抗部２５ｂとなるｎ回回転非対称性（ｎは１以外の整数）の断面形状になっている。そして、自己湾曲変形部２３ｃは内腔２６ａ及び切欠部４０ｃを有し、頭部２１は中実の円筒状になっている。したがって、弁体５Ｃにその軸線Ｃ方向の圧力が作用すると、弁体５Ａ及び自己湾曲変形部２３ａと基本的に同様に一半径方向すなわち弱抵抗部２５ｂ側に湾曲する。
【００４３】
この発明に係るコネクタ用弁体の別の一例である弁体５Ｄは、図２（ｃ）に示されるように、自己湾曲変形部２３ｄが異なること以外は弁体５Ａと基本的に同様である。すなわち、この弁体５Ｄは、図示しない頭部２１と自己湾曲変形部２３ｄと図示しない底部２２と有している。弁体５Ａと同様の構成についての説明は省略し、図２（ｃ）中同じ符号を付与する。
【００４４】
自己湾曲変形部２３ｄは、図２（ｃ）に示されるように、柱状体及び切欠部が異なること以外は自己湾曲変形部２３ａと基本的に同様であって、２つの第１の柱状体３１ｄ及び１つの第２の柱状体３２ｄと、これらの柱状体３１ｄ及び３２ｄで囲繞される内腔２６ａと、３つの柱状体３１ｄ及び３２ｄの間に形成された３つの切欠部４０ｄとで構成され、その軸線方向全体にわたって、断面形状が軸線Ｃに対するｎ回回転非対称性（ｎは１以外の整数）を有している。第１の柱状体３１ｄ及び第２の柱状体３２ｄは厚さが同じであるものの部分環状壁の中心角（幅とも称する。）が異なること以外は第１の柱状体３１ａ及び第２の柱状体３２ａと基本的に同様であって第１の柱状体３１ｄの中心角が第２の柱状体３２ｄのそれよりも大きくなっている。切欠部４０ｄはその開口幅が異なること以外は切欠部４０ａと基本的に同様である。
【００４５】
自己湾曲変形部２３ｄは中心角の大きな第１の柱状体３１ｄが配列された領域が強抵抗部２５ａとなり、中心角の小さな第２の柱状体３２ｄ近傍が弱抵抗部２５ｂとなるｎ回回転非対称性（ｎは１以外の整数）の断面形状になっている。そして、自己湾曲変形部２３ｄは内腔２６ａ及び切欠部４０ｄを有し、頭部２１は中実の円筒状になっている。したがって、弁体５Ｄにその軸線Ｃ方向の圧力が作用すると、弁体５Ａ及び自己湾曲変形部２３ａと基本的に同様に一半径方向すなわち弱抵抗部２５ｂ側に湾曲する。
【００４６】
この発明に係るコネクタ用弁体のまた別の一例である弁体５Ｅは、図２（ｄ）に示されるように、自己湾曲変形部２３ｅが異なること以外は弁体５Ａと基本的に同様である。すなわち、この弁体５Ｅは、図示しない頭部２１と自己湾曲変形部２３ｅと図示しない底部２２と有している。弁体５Ａと同様の構成についての説明は省略し、図２（ｄ）中同じ符号を付与する。
【００４７】
自己湾曲変形部２３ｅは、図２（ｄ）に示されるように、柱状体及び切欠部が異なること以外は自己湾曲変形部２３ａと基本的に同様であって、３つの第１の柱状体３１ｅ及び１つの第２の柱状体３２ｅと、これらの柱状体３１ｅ及び３２ｅで囲繞される内腔２６ａと、これら柱状体３１ｅ及び３２ｅの間に形成された２つの第１の切欠部４１ｅ及び２つの第２の切欠部４２ｅとで構成され、その軸線方向全体にわたって、断面形状が軸線Ｃに対するｎ回回転非対称性（ｎは１以外の整数）を有している。第１の柱状体３１ｅ及び第２の柱状体３２ｅはそれらの数及び配置位置が異なること以外は第１の柱状体３１ａと基本的に同様であって第１の柱状体３１ｅ同士の間隔すなわち切欠部４１ｅの開口幅が第１の柱状体３１ｅと第２の柱状体３２ｅとの間隔すなわち切欠部４２ｅの開口幅よりも小さくなっている。この自己湾曲変形部２３ｅは第１の柱状体３１ｅ及び第２の柱状体３２ｅの数及び配置位置が異なることによってｎ回回転非対称性（ｎは１以外の整数）を有している。第１の切欠部４１ｅは第１の柱状体３１ｅ同士の間に形成され、第２の切欠部４２ｅは第１の柱状体３１ｅ及び第２の柱状体３２ｅの間に形成され、第１の切欠部４１ｅ及び第２の切欠部４２ｅはその開口幅が異なること以外は切欠部４０ａと基本的に同様である。
【００４８】
自己湾曲変形部２３ｅは小さな間隔で配置された第１の柱状体３１ｅが配列された領域が強抵抗部２５ａとなり、大きな間隔で配置された第２の柱状体３２ｅ近傍が弱抵抗部２５ｂとなるｎ回回転非対称性（ｎは１以外の整数）の断面形状になっている。そして、自己湾曲変形部２３ｅは内腔２６ａ並びに第１の切欠部４１ｅ及び第２の切欠部４２ｅを有し、頭部２１は中実の円筒状になっている。したがって、弁体５Ｅにその軸線Ｃ方向の圧力が作用すると、弁体５Ａ及び自己湾曲変形部２３ａと基本的に同様に一半径方向すなわち弱抵抗部２５ｂ側に湾曲する。
【００４９】
この発明に係るコネクタ用弁体のまた別の一例である弁体５Ｆは、図２（ｅ）に示されるように、自己湾曲変形部２３ｆが異なること以外は弁体５Ａと基本的に同様である。すなわち、この弁体５Ｆは、図示しない頭部２１と自己湾曲変形部２３ｆと図示しない底部２２と有している。弁体５Ａと同様の構成についての説明は省略し、図２（ｅ）中同じ符号を付与する。
【００５０】
自己湾曲変形部２３ｆは、図２（ｅ）に示されるように、柱状体及び切欠部が異なること以外は自己湾曲変形部２３ａと基本的に同様であって、５つの第１の柱状体３１ｆ及び２つの第２の柱状体３２ｆと、これらの柱状体３１ｆ及び３２ｆで囲繞される内腔２６ｂと、これら柱状体３１ｆ及び３２ｆの間に形成された４つの第１の切欠部４１ｆ、２つの第２の切欠部４２ｆ及び１つの第３の切欠部４３ｆとで構成され、その軸線方向全体にわたって、断面形状が軸線Ｃに対するｎ回回転非対称性（ｎは１以外の整数）を有している。第１の柱状体３１ｆ及び第２の柱状体３２ｆはそれらの断面形状及び配置位置が異なること以外は第１の柱状体３１ａと基本的に同様であって、第１の柱状体３１ｆ同士の間隔、第１の柱状体３１ｆと第２の柱状体３２ｆとの間隔、第２の柱状体３２ｆ同士の間隔の順で大きくなっている。この自己湾曲変形部２３ｆは第１の柱状体３１ｆ及び第２の柱状体３２ｆの配置位置が異なることによってｎ回回転非対称性（ｎは１以外の整数）を有している。第１の切欠部４１ｆは第１の柱状体３１ｆ同士の間に形成され、第２の切欠部４２ｆは第１の柱状体３１ｆ及び第２の柱状体３２ｆの間に形成され、第３の切欠部４３ｆは第２の柱状体３２ｆ同士の間に形成され、これら切欠部４１ｆ〜４３ｆはその断面形状及び開口幅が異なること以外は切欠部４０ａと基本的に同様である。
【００５１】
自己湾曲変形部２３ｆはもっとも小さな間隔で配置された第１の柱状体３１ｆが配列された領域が強抵抗部２５ａとなり、もっとも大きな間隔で配置された第２の柱状体３２ｆが配列された領域が弱抵抗部２５ｂとなるｎ回回転非対称性（ｎは１以外の整数）の断面形状になっている。そして、自己湾曲変形部２３ｆは内腔２６ｂ並びに切欠部４１ｆ〜４３ｆを有し、頭部２１は中実の円筒状になっている。したがって、弁体５Ｆにその軸線Ｃ方向の圧力が作用すると、弁体５Ａ及び自己湾曲変形部２３ａと基本的に同様に一半径方向すなわち弱抵抗部２５ｂ側に湾曲する。
【００５２】
この発明に係るコネクタ用弁体の別の一例である弁体５Ｇは、図２（ｆ）に示されるように、自己湾曲変形部２３ｇが異なること以外は弁体５Ａと基本的に同様である。すなわち、この弁体５Ｇは、図示しない頭部２１と自己湾曲変形部２３ｇと図示しない底部２２と有している。弁体５Ａと同様の構成についての説明は省略し、図２（ｆ）中同じ符号を付与する。
【００５３】
自己湾曲変形部２３ｇは、図２（ｆ）に示されるように、柱状体及び切欠部が異なること以外は自己湾曲変形部２３ａと基本的に同様であって、第１の柱状体３１ｇ及び第２の柱状体３２ｇと、これらの柱状体３１ｇ及び３２ｇで囲繞される内腔２６ｃと、これら柱状体３１ｇ及び３２ｇの間に形成された第１の切欠部４１ｇ及び第２の切欠部４２ｇとで構成され、その軸線方向全体にわたって、断面形状が軸線Ｃに対するｎ回回転非対称性（ｎは１以外の整数）を有している。第１の柱状体３１ｇ及び第２の柱状体３２ｇは断面形状が異なること以外は第１の柱状体３１ａ及び第２の柱状体３２ａと基本的に同様であって、第１の柱状体３１ｇは軸線Ｃに垂直な断面が略長方形で第２の柱状体３２ｇは断面積が小さな略三角形の断面形状になっている。第１の切欠部４１ｇ及び第２の切欠部４２ｇはその開口幅及び断面形状が異なること以外は切欠部４０ａと基本的に同様である。
【００５４】
自己湾曲変形部２３ｇは断面積が大きく断面長方形の第１の柱状体３１ｇが配列された領域が強抵抗部２５ａとなり、断面積が小さく断面三角形の第２の柱状体３２ｇ近傍が弱抵抗部２５ｂとなるｎ回回転非対称性（ｎは１以外の整数）の断面形状になっている。そして、自己湾曲変形部２３ｇは内腔２６ｃ並びに切欠部４１ｇ及び４２ｇを有し、頭部２１は中実の円筒状になっている。したがって、弁体５Ｇにその軸線Ｃ方向の圧力が作用すると、弁体５Ａ及び自己湾曲変形部２３ａと基本的に同様に一半径方向すなわち弱抵抗部２５ｂ側に湾曲する。
【００５５】
この発明に係るコネクタ用弁体のまた別の一例である弁体５Ｈは、図２（ｇ）に示されるように、自己湾曲変形部２３ｈが異なること以外は弁体５Ａと基本的に同様である。すなわち、この弁体５Ｈは、図示しない頭部２１と自己湾曲変形部２３ｈと図示しない底部２２と有している。弁体５Ａと同様の構成についての説明は省略し、図２（ｇ）中同じ符号を付与する。
【００５６】
自己湾曲変形部２３ｈは、図２（ｇ）に示されるように、柱状体及び切欠部が異なること以外は自己湾曲変形部２３ａと基本的に同様であって、第１の柱状体３１ｈ及び第２の柱状体３２ｈと、これらの柱状体３１ｈ及び３２ｈで囲繞される内腔２６ａと、２つの柱状体３１ｈ及び３２ｈの間に形成された２つの切欠部４０ｈとで構成され、その軸線方向全体にわたって、断面形状が軸線Ｃに対するｎ回回転非対称性（ｎは１以外の整数）を有している。第１の柱状体３１ｈ及び第２の柱状体３２ｈは部分環状壁の中心角（幅とも称する。）が異なること以外は第１の柱状体３１ａ及び第２の柱状体３２ａと基本的に同様であって第１の柱状体３１ｈは中心角が第２の柱状体３２ｈのそれよりも大きくなっている。２つの切欠部４０ｈはその開口幅が異なること以外は切欠部４０ａと基本的に同様である。
【００５７】
自己湾曲変形部２３ｈは中心角の大きな第１の柱状体３１ｈ近傍が強抵抗部２５ａとなり、中心角の小さな第２の柱状体３２ｈ近傍が弱抵抗部２５ｂとなるｎ回回転非対称性（ｎは１以外の整数）の断面形状になっている。そして、自己湾曲変形部２３ｈは内腔２６ａ及び切欠部４０ｈを有し、頭部２１は中実の円筒状になっている。したがって、弁体５Ｈにその軸線Ｃ方向の圧力が作用すると、弁体５Ａ及び自己湾曲変形部２３ａと基本的に同様に一半径方向すなわち弱抵抗部２５ｂ側に湾曲する。
【００５８】
この発明に係るコネクタ用弁体の別の一例である弁体５Ｉは、図２（ｈ）に示されるように、自己湾曲変形部２３ｉが異なること以外は弁体５Ａと基本的に同様である。すなわち、この弁体５Ｉは、図示しない頭部２１と自己湾曲変形部２３ｉと図示しない底部２２と有している。弁体５Ａと同様の構成についての説明は省略し、図２（ｈ）中同じ符号を付与する。
【００５９】
自己湾曲変形部２３ｉは、図２（ｈ）に示されるように、柱状体及び切欠部が異なること以外は自己湾曲変形部２３ａと基本的に同様であって、５つの第１の柱状体３１ｉ及び３つの第２の柱状体３２ｉと、これらの柱状体３１ｉ及び３２ｉで囲繞される内腔２６ｄと、これら柱状体３１ｉ及び３２ｉの間に形成された４つの第１の切欠部４１ｉ、２つの第２の切欠部４２ｉ及び２つの第３の切欠部４３ｉとで構成され、その軸線方向全体にわたって、断面形状が軸線Ｃに対するｎ回回転非対称性（ｎは１以外の整数）を有している。第１の柱状体３１ｉ及び第２の柱状体３２ｉはそれらの断面形状が異なること以外は第１の柱状体３１ａと基本的に同様であって、第１の柱状体３１ｉは軸線Ｃの垂直な断面形状が略円形で第２の柱状体３２ｉのそれは軸線Ｃの半径方向に平行な短軸を有する略楕円形である。これらの断面積は略同一である。この自己湾曲変形部２３ｉは第１の柱状体３１ｉ及び第２の柱状体３２ｉの断面形状が異なることによってｎ回回転非対称性（ｎは１以外の整数）を有している。第１の切欠部４１ｉは第１の柱状体３１ｉ同士の間に形成され、第２の切欠部４２ｉは第１の柱状体３１ｉ及び第２の柱状体３２ｉの間に形成され、第３の切欠部４３ｉは第２の柱状体３８ａ同士の間に形成され、これら切欠部４１ｉ〜４３ｉはその断面形状及び開口幅が異なること以外は切欠部４０ａと基本的に同様である。
【００６０】
自己湾曲変形部２３ｉは断面略円形の第１の柱状体３１ｉが配列された領域が強抵抗部２５ａとなり、断面略楕円形の第２の柱状体３２ｉが配列された領域が弱抵抗部２５ｂとなるｎ回回転非対称性（ｎは１以外の整数）の断面形状になっている。そして、自己湾曲変形部２３ｉは内腔２６ｄ並びに切欠部４１ｉ〜４３ｉを有し、頭部２１は中実の円筒状になっている。したがって、弁体５Ｉにその軸線Ｃ方向の圧力が作用すると、弁体５Ａ及び自己湾曲変形部２３ａと基本的に同様に一半径方向すなわち弱抵抗部２５ｂ側に湾曲する。
【００６１】
この発明に係るコネクタ用弁体のまた別の一例である弁体５Ｊは、図２（ｉ）に示されるように、自己湾曲変形部２３ｊが異なること以外は弁体５Ａ及び弁体５Ｉと基本的に同様である。すなわち、この弁体５Ｊは、図示しない頭部２１と自己湾曲変形部２３ｊと図示しない底部２２と有している。弁体５Ａと同様の構成についての説明は省略し、図２（ｉ）中同じ符号を付与する。
【００６２】
自己湾曲変形部２３ｊは、図２（ｉ）に示されるように、柱状体及び切欠部が異なること以外は自己湾曲変形部２３ａ及び自己湾曲変形部２３ｉと基本的に同様であって、５つの第１の柱状体３１ｊ及び３つの第２の柱状体３２ｊと、これらの柱状体３１ｊ及び３２ｊで囲繞される内腔２６ｅと、これら柱状体３１ｊ及び３２ｊの間に形成された４つの第１の切欠部４１ｊ、２つの第２の切欠部４２ｊ及び２つの第３の切欠部４３ｊとで構成され、その軸線方向全体にわたって、断面形状が軸線Ｃに対するｎ回回転非対称性（ｎは１以外の整数）を有している。第１の柱状体３１ｊは配置位置すなわち断面形状の方向性が異なること以外は第２の柱状体３２ｉと基本的に同様であって、第１の柱状体３１ｊは軸線Ｃの半径方向に平行な長軸を有する略楕円形である。切欠部４１ｊ〜４３ｊはその断面形状及び開口幅が異なること以外は切欠部４０ａと基本的に同様である。
【００６３】
自己湾曲変形部２３ｊは長軸が半径方向に平行な第１の柱状体３１ｊが配列された領域が強抵抗部２５ａとなり、短軸が半径方向に平行な断面略楕円形の第２の柱状体３２ｊが配列された領域が弱抵抗部２５ｂとなるｎ回回転非対称性（ｎは１以外の整数）の断面形状になっている。そして、自己湾曲変形部２３ｊは内腔２６ｅ並びに切欠部４１ｊ〜４３ｊを有し、頭部２１は中実の円筒状になっている。したがって、弁体５Ｊにその軸線Ｃ方向の圧力が作用すると、弁体５Ａ及び自己湾曲変形部２３ａと基本的に同様に一半径方向すなわち弱抵抗部２５ｂ側に湾曲する。
【００６４】
この発明に係るコネクタ用弁体の別の一例である内弁体５Ｋは、図３（ａ）に示されるように、自己湾曲変形部２３ｋが異なること以外は弁体５Ａ及び弁体５Ｇと基本的に同様である。すなわち、この内弁体５Ｋは、図示しない頭部２１と自己湾曲変形部２３ｋと図示しない底部２２と有している。弁体５Ａと同様の構成についての説明は省略し、図３（ａ）中同じ符号を付与する。
【００６５】
自己湾曲変形部２３ｋは、図３（ａ）に示されるように、柱状体及び切欠部が異なること以外は自己湾曲変形部２３ａ及び２３ｇと基本的に同様であって、第１の柱状体３１ｋ及び第２の柱状体３２ｋと、これらの柱状体３１ｋ及び３２ｋで囲繞される内腔２６ｆと、これら柱状体３１ｋ及び３２ｋの間に形成された第１の切欠部４１ｋ及び第２の切欠部４２ｋとで構成され、その軸線方向全体にわたって、断面形状が軸線Ｃに対するｎ回回転非対称性（ｎは１以外の整数）を有している。第１の柱状体３１ｋは第１の柱状体３１ｇと基本的に同様であり、第２の柱状体３２ｋは断面形状が異なること以外は第１の柱状体３１ｇと基本的に同様であって、第１の柱状体３１ｋの厚さは第２の柱状体３２ｋのそれよりも大きくなっている。第１の切欠部４１ｋ及び第２の切欠部４２ｋはその開口幅及び断面形状が異なること以外は切欠部４０ａと基本的に同様である。
【００６６】
自己湾曲変形部２３ｋは厚さの大きな第１の柱状体３１ｋが配列された領域が強抵抗部２５ａとなり、厚さの小さい第２の柱状体３２ｋ近傍が弱抵抗部２５ｂとなるｎ回回転非対称性（ｎは１以外の整数）の断面形状になっている。そして、自己湾曲変形部２３ｋは内腔２６ｆ並びに切欠部４１ｋ及び４２ｋを有し、頭部２１は中実の円筒状になっている。したがって、弁体５Ｋにその軸線Ｃ方向の圧力が作用すると、弁体５Ａ及び自己湾曲変形部２３ａと基本的に同様に一半径方向すなわち弱抵抗部２５ｂ側に湾曲する。
【００６７】
この発明に係るコネクタ用弁体のまた別の一例である弁体５Ｌは、図３（ｂ）に示されるように、自己湾曲変形部２３ｌが異なること以外は弁体５Ａ及び内弁体５Ｋと基本的に同様である。すなわち、この弁体５Ｌは、図示しない頭部２１と自己湾曲変形部２３ｌと図示しない底部２２と有している。弁体５Ａと同様の構成についての説明は省略し、図３（ｂ）中同じ符号を付与する。
【００６８】
自己湾曲変形部２３ｌは、図３（ｂ）に示されるように、柱状体及び切欠部が異なること以外は自己湾曲変形部２３ａ及び２３ｋと基本的に同様であって、第１の柱状体３１ｌ及び第２の柱状体３２ｌと、これらの柱状体３１ｌ及び３２ｌで囲繞される内腔２６ｇと、これら柱状体３１ｌ及び３２ｌの間に形成された第１の切欠部４１ｌ及び第２の切欠部４２ｌとで構成され、その軸線方向全体にわたって、断面形状が軸線Ｃに対するｎ回回転非対称性（ｎは１以外の整数）を有している。第１の柱状体３１ｌは第１の柱状体３１ｇと基本的に同様であり、第２の柱状体３２ｌは幅が異なること以外は第１の柱状体３１ｇと基本的に同様であって、第１の柱状体３１ｌの幅は第２の柱状体３２ｌのそれよりも大きくなっている。第１の切欠部４１ｌ及び第２の切欠部４２ｌはその開口幅及び断面形状が異なること以外は切欠部４０ａと基本的に同様である。
【００６９】
自己湾曲変形部２３ｌは幅の大きな第１の柱状体３１ｌが配列された領域が強抵抗部２５ａとなり、幅の小さい第２の柱状体３２ｌ近傍が弱抵抗部２５ｂとなるｎ回回転非対称性（ｎは１以外の整数）の断面形状になっている。そして、自己湾曲変形部２３ｌは内腔２６ｇ並びに切欠部４１ｌ及び４２ｌを有し、頭部２１は中実の円筒状になっている。したがって、弁体５Ｌにその軸線Ｃ方向の圧力が作用すると、弁体５Ａ及び自己湾曲変形部２３ａと基本的に同様に一半径方向すなわち弱抵抗部２５ｂ側に湾曲する。
【００７０】
この発明に係るコネクタ用弁体の別の一例である弁体５Ｍは、図３（ｃ）に示されるように、自己湾曲変形部２３ｍが異なること以外は弁体５Ａと基本的に同様である。すなわち、この弁体５Ｍは、図示しない頭部２１と自己湾曲変形部２３ｍと図示しない底部２２と有している。弁体５Ａと同様の構成についての説明は省略し、図３（ｃ）中同じ符号を付与する。
【００７１】
自己湾曲変形部２３ｍは、図３（ｃ）に示されるように、柱状体が異なり切欠部を有していないこと以外は自己湾曲変形部２３ａと基本的に同様であって、第１の柱状体３１ｍ及び第２の柱状体３２ｍと、これらの柱状体３１ｍ及び３２ｍで囲繞される内腔２６ｈとで構成され、その軸線方向全体にわたって、断面形状が軸線Ｃに対するｎ回回転非対称性（ｎは１以外の整数）を有している。第１の柱状体３１ｍ及び第２の柱状体３２ｍは部分環状壁の中心角（幅とも称する。）が異なるうえ互いに接続して一巡すること以外は第１の柱状体３１ａ及び第２の柱状体３２ａと基本的に同様であって、第１の柱状体３１ｍの幅は第２の柱状体３２ｍのそれよりも大きくなっている。この自己湾曲変形部２３ｍは弁体５Ｍの外側に開口する貫通孔及び切欠部を有していないから内腔２６ｈは弁体５Ｍの外部に連通していない密閉空間であり、流体の流路にはならない。なお、この発明において、内腔２６ｈに連通する少なくとも２つの貫通孔を、第１の柱状体３１ｍ、第２の柱状体３２ｍ及び底部２２のいずれかに穿孔することができ、この場合に、第１の柱状体３１ｍ及び第２の柱状体３２ｍに貫通孔を穿孔する位置は底部近傍の外周面であるのが流体の残存量を低減できる点で好ましく、一方、底部２２に貫通孔を穿孔する位置は底部の外周面、特に先端外周面であるのが流体の残存量を低減できる点で好ましい。
【００７２】
自己湾曲変形部２３ｍは中心角の大きな第１の柱状体３１ｍ近傍が強抵抗部２５ａとなり、中心角の小さな第２の柱状体３２ｍ近傍が弱抵抗部２５ｂとなるｎ回回転非対称性（ｎは１以外の整数）の断面形状になっている。そして、自己湾曲変形部２３ｍは内腔２６ｈを有し、頭部２１は中実の円筒状になっている。したがって、弁体５Ｍにその軸線Ｃ方向の圧力が作用すると、弁体５Ａ及び自己湾曲変形部２３ａと基本的に同様に一半径方向すなわち弱抵抗部２５ｂ側に湾曲する。
【００７３】
この発明に係るコネクタ用弁体のまた別の一例である弁体５Ｎは、図３（ｄ）に示されるように、自己湾曲変形部２３ｎが異なること以外は弁体５Ａと基本的に同様である。すなわち、この弁体５Ｎは、図示しない頭部２１と自己湾曲変形部２３ｎと図示しない底部２２と有している。弁体５Ａと同様の構成についての説明は省略し、図３（ｄ）中同じ符号を付与する。
【００７４】
自己湾曲変形部２３ｎは、図３（ｄ）に示されるように、柱状体及び切欠部が異なること以外は自己湾曲変形部２３ａと基本的に同様であって、軸線Ｃを挟むように配置された１つの第１の柱状体３１ｎ及び１つの第２の柱状体３２ｎと、これらの柱状体３１ｎ及び３２ｎで囲繞される内腔２６ｉと、柱状体３１ｎ及び３２ｎの間に形成された２つの切欠部内４０ｎとで構成され、その軸線方向全体にわたって、断面形状が軸線Ｃに対するｎ回回転非対称性（ｎは１以外の整数）を有している。第１の柱状体３１ｎ及び第２の柱状体３２ｎは形状が異なること以外は第１の柱状体３１ａ及び第２の柱状体３２ａと基本的に同様であって、これら柱状体３１ｎ及び３２ｎはいずれも断面が略矩形の平坦な壁状をなし、第１の柱状体３１ｎの厚さが第２の柱状体３２ｎのそれよりも大きくなっている。この自己湾曲変形部２３ｎは第１の柱状体３１ｎ及び第２の柱状体３２ｎの断面形状及び断面積が異なることによってｎ回回転非対称性（ｎは１以外の整数）を有している。切欠部内４０ｎはその開口幅が異なること以外は切欠部４０ａと基本的に同様である。
【００７５】
自己湾曲変形部２３ｎは厚さの大きな第１の柱状体３１ｎ近傍が強抵抗部２５ａとなり、厚さの小さな第２の柱状体３２ｎ近傍が弱抵抗部２５ｂとなるｎ回回転非対称性（ｎは１以外の整数）の断面形状になっている。そして、自己湾曲変形部２３ｎは内腔２６ｉ及び切欠部４０ｎを有し、頭部２１は中実の円筒状になっている。したがって、弁体５Ｎにその軸線Ｃ方向の圧力が作用すると、弁体５Ａ及び自己湾曲変形部２３ａと基本的に同様に一半径方向すなわち弱抵抗部２５ｂ側に湾曲する。
【００７６】
この発明に係るコネクタ用弁体のまた別の一例である弁体５Ｐは、図３（ｅ）に示されるように、自己湾曲変形部２３ｐが異なること以外は弁体５Ａと基本的に同様である。すなわち、この弁体５Ｐは、図示しない頭部２１と自己湾曲変形部２３ｐと図示しない底部２２と有している。弁体５Ａと同様の構成についての説明は省略し、図３（ｅ）中同じ符号を付与する。
【００７７】
自己湾曲変形部２３ｐは、図３（ｅ）に示されるように、柱状体及び切欠部が異なること以外は自己湾曲変形部２３ａと基本的に同様であって、底部２２の頂面に立設されて頭部２１と底部２２とを連結する、頭部２１及び底部２２の断面積よりも小さな断面積を有する断面が略台形の平坦な壁状である柱状体３０ｐと、この柱状体３０ｐの両表面側に形成された第１の切欠部４１ｐ及び第２の切欠部４２ｐとで構成され、その軸線方向全体にわたって、この柱状体３０ｐは弁体５Ｐの軸線Ｃと異なる軸線Ｃｐを有している。柱状体３０ｐは断面形状、断面積及び配置位置が異なること以外は第１の柱状体３１ａ等と基本的に同様である。この自己湾曲変形部２３ｐは柱状体３０ｐの軸線Ｃｐが軸線Ｃと異なることによってｎ回回転非対称性（ｎは１以外の整数）を有している。２つの切欠部４１ｐ及び４２ｐは断面弓形に頭部２１から底部２２にわたって切除されていること以外は切欠部４０ａと基本的に同様であって、第１の切欠部４１ｐは第２の切欠部４２ｐよりも切除量特に水平方向の奥行きが小さくなっている。
【００７８】
自己湾曲変形部２３ｐは軸線Ｃと一致しない軸線Ｃｐを有する柱状体３０ｐにおける第１の切欠部４１ｐ側が強抵抗部２５ａとなり、第２の切欠部４２ｐ側が弱抵抗部２５ｂとなるｎ回回転非対称性（ｎは１以外の整数）の断面形状になっている。そして、自己湾曲変形部２３ｐは中実の円筒状頭部２１を有している。したがって、弁体５Ｐにその軸線Ｃ方向の圧力が作用すると、弁体５Ａ及び自己湾曲変形部２３ａと基本的に同様に一半径方向すなわち弱抵抗部２５ｂ側に湾曲する。
【００７９】
この発明に係るコネクタ用弁体の別の一例である弁体５Ｑは、図４に示されるように、自己湾曲変形部２３ｑが異なること以外は弁体５Ａと基本的に同様である。すなわち、この弁体５Ｑは、頭部２１と自己湾曲変形部２３ｑと底部２２と有している。弁体５Ａと同様の構成についての説明は省略し、図４中同じ符号を付与する。
【００８０】
自己湾曲変形部２３ｑは、図４に示されるように、柱状体が異なること以外は自己湾曲変形部２３ａと基本的に同様であって、第１の柱状体３１ａ及び第２の柱状体３２ｑと、これらの柱状体３１ａ及び３２ｑで囲繞される内腔２６ａと、柱状体３１ａ及び３２ｑの間に形成された３つの切欠部４０ａとで構成され、その軸線方向全体にわたって、断面形状が軸線Ｃに対するｎ回回転非対称性（ｎは１以外の整数）を有している。弁体５Ａ〜５Ｐにおける柱状体３０ｐ、３１ａ〜３１ｐ及び３２ａ〜３２ｐはいずれも軸線Ｃ方向の厚さが一定であるのに対して、第２の柱状体３２ｑは軸線Ｃ方向の略中央の厚さが薄くなるように頭部２１の底面及び底部２２の頂面から徐々に厚さが薄くなっている。自己湾曲変形部２３ｑは、自己湾曲変形部２３ａと同様に、第１の柱状体３１ａが配列された領域が強抵抗部２５ａとなり、第２の柱状体３２ｑ近傍が弱抵抗部２５ｂとなるｎ回回転非対称性（ｎは１以外の整数）の断面形状になっており、弁体５Ｑにその軸線Ｃ方向の圧力が作用すると一半径方向すなわち弱抵抗部２５ｂ側に湾曲する。そして、第２の柱状体３２ｑは中央部の厚さが薄くなっているからより一層湾曲しやすくなっている。なお、弁体５Ｑでは、第２の柱状体３２ｑのみの軸線Ｃ方向における厚さが変更されているが、この発明において、第１の柱状体３１ａの厚さが軸線Ｃ方向に変更されていてもよく、例えば、第１の柱状体３１ａの厚さが厚くなるように又は薄くなるように変更されていてもよい。第１の柱状体３１ａ及び第２の柱状体３２ｑの厚さが共に薄くなるように変更されてもよいが、第１の柱状体３１ａが厚くなるように、かつ第２の柱状体３２ｑが薄くなるように変更されていていると自己湾曲変形部はより一層湾曲しやすくなる。
【００８１】
この発明に係るコネクタ用弁体の別の一例である弁体６Ａは、図５（ａ）に示されるように、頭部５１ａが異なること以外は弁体５Ａと基本的に同様であって、弁体５Ａと同様の自己湾曲変形部２３ａを有しているから、弁体６Ａにその軸線Ｃ方向の圧力が作用すると弁体５Ａと同様に一半径方向に湾曲する。弁体５Ａと同様の構成についての説明は省略し、図５（ａ）中同じ符号を付与する。
【００８２】
頭部５１ａは、図５（ａ）に示されるように、一定の外径を有する平坦な外周面を有する円筒状で第１の接続口１２を密閉する栓部５２と、栓部５２の一端面に連設され、栓部５２の周面から半径方向に環状に張り出した膨出部（フランジ部とも称する。）５３とを有している。この栓部５２及び膨出部５３は共に中実になっており、軸線Ｃ方向に作用する圧力によって湾曲しないようになっている。この膨出部５３は弁体収納部１６の内周面に接触又は接触しない外径を有している。
【００８３】
この発明に係るコネクタ用弁体のまた別の一例である弁体６Ｂは、図５（ｂ）に示されるように、頭部５１ｂが異なること以外は弁体５Ａと基本的に同様であって、弁体５Ａと同様の自己湾曲変形部２３ａを有しているから、弁体６Ｂにその軸線Ｃ方向の圧力が作用すると弁体５Ａと同様に一半径方向に湾曲する。弁体５Ａと同様の構成についての説明は省略し、図５（ｂ）中同じ符号を付与する。
【００８４】
頭部５１ｂは、図５（ｂ）に示されるように、その全体が栓体となり、第１の接続口１２に現れる頂面５４が接続口１２の外側に膨出する湾曲面になっている。この頂面５４は、弁体５Ａの頂面と同様に流体等を案内する溝又はスリット等の形成されていない平坦面になっている。
【００８５】
この発明に係るコネクタ用弁体のさらにまた別の一例である弁体６Ｃは、図５（ｃ）及び図５（ｄ）に示されるように、底部５６が異なること以外は弁体５Ａと基本的に同様であって、弁体５Ａと同様の自己湾曲変形部２３ａを有しているから、弁体６Ｃにその軸線Ｃ方向の圧力が作用すると弁体５Ａと同様に一半径方向に湾曲する。弁体５Ａと同様の構成についての説明は省略し、図５（ｃ）及び図５（ｄ）中同じ符号を付与する。
【００８６】
底部５６は、図５（ｃ）及び図５（ｄ）に示されるように、その頂面全体から自己湾曲変形部２３ａに向かって突出すると共に徐々に先細る錐形部５７を有している。このように底部５６が自己湾曲変形部２３ａに突出する錐形部５７を有していると、例えば内腔２６ａを流体の流路として機能させたときに、内腔２６ａに残存する流体の残存量を低減でき、所望量の流体をロスなく患者に投与できる。なお、この発明において、錐形部は、少なくとも切欠部に接続するように形成されていればよいが、弁体６Ｃのように頂面全体に形成されていてもよく、頂面の一部に形成されていてもよい。また、自己湾曲変形部２３ａに突出する形状は錐形に限られず、内腔２６ａ内の流体を切欠部４０ａに案内又は導出できる形状であればよく、例えば、頂面が平坦な錐台形状の錐台形部であってもよい。
【００８７】
この発明に係るコネクタ用弁体の別の一例である弁体７Ａは、図６（ａ）及び図６（ｂ）に示されるように、自己湾曲変形部６１ａ及び底部６２ａが異なること以外は弁体５Ａと基本的に同様である。すなわち、この弁体７Ａは、頭部２１と自己湾曲変形部６１ａと底部６２ａと有し、この発明に係るコネクタのコネクタ管４に収納されてコネクタ管４内を流通する流体の流通を制御する。弁体５Ａと同様の構成についての説明は省略し、図６（ａ）及び図６（ｂ）中同じ符号を付与する。
【００８８】
自己湾曲変形部６１ａ及び底部６２ａは、図６（ａ）及び図６（ｂ）に示されるように、頭部２１の一端面から略平行に連設された平坦な板状をなす第１の柱状体６３ａ及び第２の柱状体６４ａと、これらの端部を連結する底部６２ａとを有する、側面視略Ｕ字状に一体的に形成されている。この自己湾曲変形部６１ａは、これら柱状体６３ａ及び６４ａと、これらの柱状体６３ａ及び６４ａで挟まれた空間としての内腔６６ａと、自己湾曲変形部６１ａの軸線に交差する方向であって柱状体６３ａ及び６４ａの幅方向に開口する２つの切欠部６７ａとで構成されている。第１の柱状体６３ａ及び第２の柱状体６４ａは弁体７Ａの軸線Ｃを挟むように軸線Ｃから等距離に配置されており、第１の柱状体６３ａの厚さは第１の柱状体６４ａのそれよりも厚く、自己湾曲変形部６１ａは図６（ｂ）に明確に示されるように、その軸線方向全体にわたって、断面形状が軸線Ｃに対するｎ回回転非対称性（ｎは１以外の整数）を有している。このように自己湾曲変形部６１ａは第１の柱状体６３ａ及び第２の柱状体６４ａの断面形状及び断面積が異なることによってｎ回回転非対称性（ｎは１以外の整数）を有している。２つの切欠部６７ａはその開口幅が異なること以外は切欠部４０ｐと基本的に同様である。底部６２ａは、第１の柱状体６３ａ及び第２の柱状体６４ａを連結する湾曲形状で自己湾曲変形部６１ａに向かって尖形に突出した錐形部６８を有する中実体になっていること以外は底部２２と基本的に同様である。
【００８９】
自己湾曲変形部６１ａは厚さの厚い第１の柱状体６３ａ近傍が強抵抗部２５ａとなり、厚さの薄い第２の柱状体６４ａ近傍が弱抵抗部２５ｂとなるｎ回回転非対称性（ｎは１以外の整数）の断面形状になっている。そして、自己湾曲変形部６１ａは内腔６６ａ及び切欠部６７ａを有し、頭部２１は中実の円筒状になっている。したがって、弁体７Ａにその軸線Ｃ方向の圧力が作用すると、弁体５Ａと基本的に同様に一半径方向すなわち弱抵抗部２５ｂ側に湾曲する。
【００９０】
この発明に係るコネクタ用弁体のさらにまた別の一例である弁体７Ｂは、図６（ｃ）に示されるように、底部６２ｂが異なること以外は弁体７Ａと基本的に同様であり、弁体７Ａと同様の自己湾曲変形部６１ａを有しているから、弁体７Ｂにその軸線Ｃ方向の圧力が作用すると弁体７Ａと同様に一半径方向に湾曲する。この弁体７Ｂは、この発明に係るコネクタのコネクタ管４に収納されてコネクタ管４内を流通する流体の流通を制御する。弁体７Ａと同様の構成についての説明は省略し、図６（ｃ）中同じ符号を付与する。
【００９１】
底部６２ｂは、図６（ｃ）に示されるように、その先端外周面にドーム状の被支持部６９を有していること以外は底部６２ａと基本的に同様である。この被支持部６９は弁体７Ｂを弁体収納部１６の支持部１７上に載置されて弁体７Ｂを支持する。
【００９２】
この発明に係るコネクタ用弁体の別の一例である弁体８は、図７に示されるように、胴部７１が異なること以外は弁体５Ａと基本的に同様である。すなわち、弁体５Ａは１つの自己湾曲変形部２３ａを有しているが、この弁体８は２つの自己湾曲変形部２３ａを有している。具体的には、この弁体８は、頭部２１と、中実連結部７２を介して直列に配列された２つの自己湾曲変形部２３ａを有する胴部７１と、底部２２とを有している。この弁体８は、この発明に係るコネクタのコネクタ管４に収納されてコネクタ管４内を流通する流体の流通を制御する。弁体５Ａと同様の構成についての説明は省略し、図７中同じ符号を付与する。胴部７１は、頭部２１から底部２２に向かって順に連接された、第１の自己湾曲変形部２３ａ、中実連結部７２及び第２の自己湾曲変形部２３ａを有し、２つの自己湾曲変形部２３ａが互いの湾曲方向を相殺しないように、具体的には、同一の半径方向、図７において右側に弱抵抗部２５ｂが位置するように、配置されている。したがって、弁体８は弁体５Ａと基本的に一半径方向に同様に湾曲する。この発明において、自己湾曲変形部は少なくとも１つ有していればよく、３以上の自己湾曲変形部が互いの湾曲方向を相殺しないようにこの発明に係るコネクタ用弁体の軸線方向に連続して又は間隔を空けて直列に配置されていてもよい。
【００９３】
この発明に係る弁体は前記した例に限定されることはなくこの発明の目的を達成することができる範囲において、種々の変更が可能である。例えば、前記した各種の頭部、自己湾曲変形部（胴部）及び底部を適宜に組み合わせることができる。また、コネクタ用弁体５Ａ〜５Ｑ、６Ａ〜６Ｃ、７Ａ及び７Ｂ並びに８はいずれも、頂面２１ａ及び５４が平坦な表面又は湾曲面になっているが、この発明において、例えば流体を１回しか注入しない用途に用いられる場合等、頂面の汚染等が重要視されない場合には、半径方向に延在して流体を案内する溝又はスリット等を頂面に有していてもよい。
【００９４】
また、コネクタ用弁体５Ａ〜５Ｑ、６Ａ〜６Ｃ、７Ａ及び７Ｂ並びに８はいずれも、自己湾曲変形部及び胴部の外径、例えば、コネクタ用弁体の軸線に垂直な断面における柱状体の断面形状に外接する仮想外接円の外径が頭部又は栓体及び底部の外径と同一になっているが、この発明において、自己湾曲変形部及び胴部の外径は頭部又は底部の外径よりも小さくても大きくてもよい。
【００９５】
この発明に係るコネクタは、少なくとも２つの管体同士を接続するコネクタ、例えば、前記医療用コネクタ、特に、前記チューブと針無し管体とを接続する医療用コネクタすなわち混注管等として好適に用いられる。そして、この発明に係るコネクタは、コネクタ管とこの発明に係るコネクタ用弁体とを備えており、この発明に係るコネクタ用弁体は、前記したように、栓部が第１の接続口を密閉する第１姿勢（密閉状態とも称する。）と、コネクタ用弁体の軸線方向に作用する圧力で自己湾曲変形部が一半径方向に湾曲して管体の内腔と流路とを連通させる第２姿勢（開放状態とも称する。）とに移行可能になっている。この発明に係るコネクタ用弁体が第１姿勢にあるとその頭部又は栓部の周側面が第１の接続口の内面に密接してこの接続口を液密にシールする。一方、この発明に係るコネクタ用弁体が前記のように湾曲すると、第１姿勢から第２姿勢に移行して、その頭部の頂面が傾斜して管体の内腔とコネクタ管の流路とが弁体収納部又は第１の接続口内で連通して管体の内腔からコネクタ管内に流体が供給される。流体の供給が終了した後に管体を第１の接続口から抜脱すなわち退避させると、この発明に係るコネクタ用弁体にかかっていた圧力が解除されて自身の反発力又は復元力で元の状態に復帰して、すなわち第２姿勢から第１姿勢に移行して、第１の接続口を液密にシールする。このようにしてこの発明に係るコネクタは優れた注入性及びシール性を発揮する。
【００９６】
この発明に係るコネクタの一例であるコネクタ１は、図８（ａ）に示されるように、針無し管体８１を接続可能な第１の接続口１２、患者に留置されたカテーテル等に連結された、図示しない管体が接続される第２の接続口１３、及び、患者に投与する流体を収納したバッグ等に連結された、図示しない管体が接続される第３の接続口１４、これらの接続口１２〜１４を連通させる流路１５、並びに、第１の接続口１２の軸線に沿ってこの接続口１２に隣接するように配置された弁体収納部１６を有するコネクタ管４と、コネクタ管４の弁体収納部１６又は流路１５内に内蔵されるコネクタ用弁体５Ａとを備えている。
【００９７】
このようなコネクタ管４は弁体５Ａを内蔵できる限り従来公知のコネクタ管を限定されることなく用いることができ、例えば、図８に示されるように平面視略Ｙ字状のコネクタ管４、平面視略Ｔ字状のコネクタ管、平面視略十字状のコネクタ管等が挙げられる。コネクタ管４は、その軸線方向の一端側に針無し管体８１が接続される第１の接続口１２が配置され、他端側にカテーテル等に連結された管体が接続される第２の接続口１３が配置され、前記軸線方向に交差する方向に突出し、流体を収納したバッグ等に連結された管体が接続される第３の接続口１４が配置されている。そして、第１の接続口１２と第２の接続口１３との間に軸線方向に沿って弁体５Ａを収納可能な弁体収納部１６が配置されており、弁体収納部１６がもっとも大径の中空構造になっており、第１の接続口１２が弁体収納部１６よりも小さな径の管体構造になっており、第２の接続口１３及び第３の接続口１４がもっとも小径の管体構造になっている。コネクタ管４の各接続口１２〜１４には必要に応じて、後述する針無し管体と接続可能な構造又は接続を一時的に保持可能な構造、例えば、ルアーロックネジ等が形成されている。
【００９８】
コネクタ管４の弁体収納部１６は、第２の接続部１３側が先細の尖形部を有する中空の円筒形になっており、尖形部の内面に互いに間隔をあけて放射状に延在する複数の突条からなる支持部１７が配置されている。この支持部１７は弁体５Ａの底部２２が載置されて弁体５Ａを支持すると共に底部２２との間に形成される間隙から流体を第２の接続口１３に流通させる。
【００９９】
コネクタ１に接続される針無し管体８１は、内腔８１ａすなわち流体を流通させる流路を内部に有していれば特に限定されず、前記した各種の管体が挙げられる。図８（ａ）に示されるように、この管体の先端部８２は第１の接続口１２に接続可能な形状になっており、通常、第１の接続口１２の内径よりも僅かに小さな外径を有する小径環状構造になっている。この先端部８２の外周面には第１の接続口１２に所望により形成されたルアーロックに螺合するルアー溝を有していてもよい。
【０１００】
コネクタ管４及び針無し管体８１は通常剛性のある材料、例えば、各種樹脂、各種ガラス、各種セラミックス、各種金属で形成される。樹脂としては、例えば、ポリエチレン、ポリプロピレン、エチレン−プロピレン共重合体、エチレン−酢酸ビニル共重合体（ＥＶＡ）等のポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、フッ素系樹脂、又はこれら樹脂を１種以上含むブレンド体、ポリマーアロイ等が挙げられる。
【０１０１】
コネクタ１は、図８（ａ）に示されるように、針無し管体８１が第１の接続口１２に接続されていないとき、すなわち密閉状態にあるときは、弁体収納部１６に収納された弁体５Ａはその軸線Ｃ方向に伸びた第１姿勢をとっており、頭部２１すなわち栓部の周側面全体が第１の接続口１２の内面に密接して頭部２１が第１の接続口１２を液密に密閉すなわちシールしている。弁体５Ａはこのように第１の接続口１２を密閉しているから第３の接続口１３を通過した患者の血液又は第２の接続口１４から注入された流体等が第１の接続口１２から流出することがなく、この弁体５Ａは逆止弁、止血弁等としても機能する。頭部２１が第１の接続口１２をシールしているとき頭部２１の平坦な頂面２１ａは第１の接続口１２から露出しているから容易に清掃することができる。また、弁体収納部１６に収納された弁体５Ａは弁体収納部１６の内面と共に流体を流通させる環状の流通路を自身の外周に形成する。したがって、弁体収納部１６の内径は弁体５Ａ、特に自己湾曲変形部２３ａの外径よりも大きな寸法に設定されている。
【０１０２】
コネクタ１を介して患者に流体を供給するには、図８（ｂ）に示されるように、管体８１の先端部８２を弁体５Ａの弾発力に反して第１の接続口１２に圧入する。そうすると、弁体５Ａは特定の方向に湾曲する自己湾曲変形部２３ａを有しているから、第１の接続口１２に接続された針無し管体８１による弁体５Ａの軸線Ｃ方向に作用した押圧力によって自己湾曲変形部２３ａが軸線Ｃ方向を中心とする特定の一半径方向に湾曲し、それに伴って弁体５Ａ自体も同方向に湾曲して、第１の接続口１２をシールしていた頭部２１が傾斜するように弁体収納部１６内に埋没される。一方、軸線Ｃに沿って第１の接続口１２に圧入された針無し管体８１の先端面８３は軸線Ｃに対して垂直になっている。このように湾曲した弁体５Ａは、頭部２１の傾斜と共にその頂面２１ａも軸線Ｃに対して傾斜し、先端面８３は軸線Ｃに対して垂直になっているから、頂面２１ａと先端面８３との間に空間８４が形成され、流体はこの空間８４を経て針無し管体８１からコネクタ管４に注入される。このように管体８１の先端部８２を第１の接続口１２に圧入すると針無し管体８１の内腔８１ａと流路１５とが連通した、コネクタ１すなわち第１の接続口１２が開放された第２姿勢になる。そして、注入された流体は弁体５Ａの外周に形成された環状の流通路を流通して第２の接続口１３に流入する。このとき、弁体５Ａは弁体収納部１６の内面等の他の部材と協働することもこれら部材に補助されることなく自ら積極的に湾曲する。
【０１０３】
このようにして所望の流体を注入した後に針無し管体８１を第１の接続口１２から抜脱すると、針無し管体８１により負荷された押圧力が解除されて、弁体５Ａは自身の反発力又は復元力で第１姿勢に復帰して、頭部２１の外周面が第１の接続口１２を液密にシールする。このように弁体５Ａを備えたコネクタ１は、たとえ流体を複数回注入する場合であっても、弁体５Ａが作用する圧力によって特定の一方向に湾曲すると共に圧力が解除されると第１姿勢に復帰するから、弁体５Ａの湾曲及び復元すなわち第１姿勢と第２姿勢との移行は毎回同様に再現性よく繰り返される。したがって、コネクタ１は湾曲性及びシール性に優れる。
【０１０４】
なお、弁体５Ａを備えたコネクタ１についてその構造及び作用を説明したが、弁体５Ａに代えて弁体５Ｂ〜５Ｑ、６Ａ〜６Ｃ、７Ａ及び７Ｂ並びに８を備えたコネクタであっても同様に機能する。
【０１０５】
この発明に係るコネクタは前記した例に限定されることはなく、この発明の目的を達成することができる範囲において、種々の変更が可能である。
【符号の説明】
【０１０６】
１  コネクタ
４  コネクタ管
５Ａ〜５Ｑ、６Ａ〜６Ｃ、７Ａ、７Ｂ、８  コネクタ用弁体（弁体）
１２  第１の接続口
１３  第２の接続口
１４  第３の接続口
１５  流路
１６  弁体収納部
１７  支持部
２１、５１ａ、５１ｂ  頭部
２１ａ、５４  頂面
２２、５６、６２ａ、６２ｂ  底部
２３ａ〜２３ｐ、６１ａ、６１ｂ  自己湾曲変形部
２４ａ、７１  胴部
２５ａ  強抵抗部
２５ｂ  弱抵抗部
２６ａ〜２６ｋ、６６ａ  内腔
３０ｐ  柱状体
３１ａ〜３１ｐ、６３ａ  第１の柱状体
３２ａ〜３２ｑ、６４ａ、６４ｂ  第２の柱状体
４０ａ〜４０ｄ、４０ｈ、４０ｎ、４０ｏ、４０ｐ、６７ａ  切欠部
４１ｅ〜４１ｇ、４１ｉ〜４１ｌ、４１ｐ  第１の切欠部
４２ｅ〜４２ｇ、４２ｉ〜４２ｌ、４２ｐ  第２の切欠部
４３ｆ、４３ｉ、４３ｊ  第３の切欠部
５２  栓部
５３  膨出部
５７、６８  錐形部
６５ａ、６５ｂ  連結部
６９  被支持部
７２  中実連結部
８１  針無し管体
８１ａ  内腔
８２  先端部
８３  先端面
８４  空間
【図１】
2013022418.tif 000003
【図２】
2013022418.tif 000004
【図３】
2013022418.tif 000005
【図４】
2013022418.tif 000006
【図５】
2013022418.tif 000007
【図６】
2013022418.tif 000008
【図７】
2013022418.tif 000009
【図８】
2013022418.tif 000010